(57)【要約】【課題】操作パネルの操作とインク補充作業とを行う場合の作業性を向上させる。【解決手段】記録装置は、第１方向および第２方向に移動可能なキャリッジと、前記キャリッジに設けられ、液体を注入可能に構成されるとともに、内部の液面の位置を視認可能な液面視認部を有する液体収容部と、前記キャリッジに設けられ、前記液体収容部から前記液体が供給されて、前記被記録媒体に前記液体を吐出する記録ヘッドと、前記幅方向に沿った装置側面に設けられる操作パネルと、を備え、前記装置側面を正面視して、前記操作パネル、及び前記液面視認部を露呈させる露呈部が視認可能に配置され、前記キャリッジがホームポジションから前記露呈部に向かって移動することで、前記装置側面を正面視して前記操作パネルと前記液面視認部とが前記幅方向に並ぶ。【選択図】図１５
2020189474.tif 000002
【特許請求の範囲】
【請求項１】
被記録媒体の搬送方向と交差する幅方向のうちの一方向である第１方向および前記第１方向に対し反対方向である第２方向に移動可能なキャリッジと、
前記キャリッジに設けられ、液体を注入可能に構成されるとともに、内部の液面の位置を視認可能な液面視認部を有する液体収容部と、
前記キャリッジに設けられ、前記液体収容部から前記液体が供給されて、前記被記録媒体に前記液体を吐出する記録ヘッドと、
前記幅方向に沿った装置側面に設けられる操作パネルと、を備え、
前記装置側面を正面視して、前記操作パネル、及び前記液面視認部を露呈させる露呈部が視認可能に配置され、
前記キャリッジがホームポジションから前記露呈部に向かって移動することで、前記装置側面を正面視して前記操作パネルと前記液面視認部とが前記幅方向に並ぶ、
ことを特徴とする記録装置。
【請求項２】
請求項１に記載の記録装置において、前記装置側面を正面視して前記第２方向の端部から前記第１方向に向かって、前記操作パネル、前記露呈部、前記ホームポジション、がこれらの順に配置される、
ことを特徴とする記録装置。
【請求項３】
請求項１または請求項２に記載の記録装置において、前記キャリッジの上部には、閉じた状態において装置の天面を構成し、開くことで前記キャリッジの上部を露呈させる上面カバーが設けられ、
前記上面カバーは、閉じた状態において前記操作パネルとともに前記装置側面を構成する側面形成部を備え、
前記上面カバーが閉じると前記側面形成部が前記露呈部を覆い、前記上面カバーが開くと前記側面形成部が前記露呈部を露呈させる、
ことを特徴とする記録装置。
【請求項４】
請求項３に記載の記録装置において、前記露呈部は、前記第１方向の端部に位置する第１壁部と、前記第１壁部に対し前記第２方向に位置する第２壁部と、の間の隙間で形成され、
前記操作パネルは、第１ヒンジ、及び前記第１ヒンジより前記露呈部から遠い第２ヒンジを介して前記第２壁部に対しチルト可能に設けられる、
ことを特徴とする記録装置。
【請求項５】
請求項４に記載の記録装置において、前記第１ヒンジ及び前記第２ヒンジのうち、前記第２ヒンジが、前記操作パネルのチルト角を保持するトルクヒンジで構成される、
ことを特徴とする記録装置。
【請求項６】
請求項３から請求項５のいずれか一項に記載の記録装置において、前記側面形成部には、装置の状態を点灯或いは点滅により表示する発光部が設けられる、
ことを特徴とする記録装置。
【請求項７】
請求項６に記載の記録装置において、前記上面カバーには、前記発光部に電気的に接続される配線を覆う配線カバーが設けられ、
前記配線カバーの重心位置が、前記上面カバーの回転軸寄りに位置する、
ことを特徴とする記録装置。
【請求項８】
請求項３から請求項７のいずれか一項に記載の記録装置において、前記上面カバーは、閉じた状態から９０°より大きい回転角の回転によって開放限度まで開く、
ことを特徴とする記録装置。
【請求項９】
請求項３から請求項８のいずれか一項に記載の記録装置において、前記側面形成部に設けられた突起によって押されることで前記上面カバーの閉状態を検出する開閉センサーを備え、
前記開閉センサーは、前記突起が入り込むスリットの内部に設けられ、
前記上面カバーが閉じた状態において前記突起と前記スリットとが係わり合うことにより、少なくとも前記上面カバーの前記幅方向における位置が規制される、
ことを特徴とする記録装置。
【請求項１０】
請求項３から請求項９のいずれか一項に記載の記録装置において、前記キャリッジを備えた装置本体部と、
原稿を読み取る読み取り手段及び前記読み取り手段に対し前記原稿を搬送する原稿搬送手段を有し、前記装置本体部の上部に設けられる原稿読み取り機構部と、を備え、
前記上面カバーが、前記原稿読み取り機構部を構成するフレームに対し回転可能に連結される、
ことを特徴とする記録装置。
【請求項１１】
請求項３から請求項１０のいずれか一項に記載の記録装置において、前記上面カバーが開いた状態を保持する保持手段を有し、
前記保持手段は、前記上面カバーに設けられ、回転することで開閉する前記上面カバーの回転半径方向にスライド可能であるとともにプランジャと、
前記上面カバーに設けられ、前記プランジャを押圧する押圧部材と、と備え、
前記プランジャと対向する位置に設けられた当接部に前記プランジャが押し当たることで、前記上面カバーの開いた状態が保持される、
ことを特徴とする記録装置。
【請求項１２】
請求項１から請求項１１のいずれか一項に記載の記録装置において、前記キャリッジの移動方向に沿って、前記キャリッジの上部の一部を覆う覆い部材が設けられ、
前記覆い部材において前記キャリッジの移動方向における一部には、切り欠き部が設けられ、
前記切り欠き部には、取り外し可能なカバー部材が設けられている、
ことを特徴とする記録装置。
【発明の詳細な説明】
【技術分野】
【０００１】
本発明は、被記録媒体に記録を行う記録装置に関する。
【背景技術】
【０００２】
記録装置の一例としてインクジェットプリンターがあり、インクジェットプリンターには被記録媒体に液体としてのインクを吐出して記録を行う記録ヘッドと、記録ヘッドに供給するインクを収容する液体収容部とを備え、液体収容部が、記録によって消費されるインクを補充できるように構成されるものがある。
【０００３】
特許文献１には、液体収容部におけるインクの液面を視認可能に構成された記録装置が開示されている。特許文献１記載の記録装置では、残量確認部が装置前面の右端部に設けられており、外部からインクの液面が視認できる様に構成されている。
【先行技術文献】
【特許文献】
【０００４】
【特許文献１】特開２０１８−１６１８５１号公報
【発明の概要】
【発明が解決しようとする課題】
【０００５】
液体収容部にインクを補充する際、ユーザーは操作パネルを操作し、特に操作パネルに表示装置が設けられている場合には表示装置に表示されたユーザーインターフェースに沿って操作パネルの操作とインク補充作業とを行うが、特許文献１記載の記録装置においては、操作パネルの操作とインク補充作業とを行う場合の作業性の観点において改善の余地があった。
【課題を解決するための手段】
【０００６】
上記課題を解決する本発明の記録装置は、被記録媒体の搬送方向と交差する幅方向のうちの一方向である第１方向および前記第１方向に対し反対方向である第２方向に移動可能なキャリッジと、前記キャリッジに設けられ、液体を注入可能に構成されるとともに、内部の液面の位置を視認可能な液面視認部を有する液体収容部と、前記キャリッジに設けられ、前記液体収容部から前記液体が供給されて、前記被記録媒体に前記液体を吐出する記録ヘッドと、前記幅方向に沿った装置側面に設けられる操作パネルと、を備え、前記装置側面を正面視して、前記操作パネル、及び前記液面視認部を露呈させる露呈部が視認可能に配置され、前記キャリッジがホームポジションから前記露呈部に向かって移動することで、前記装置側面を正面視して前記操作パネルと前記液面視認部とが前記幅方向に並ぶことを特徴とする。
【図面の簡単な説明】
【０００７】
【図１】後方上面カバー、前方上面カバー、前面カバーのこれらが閉じた状態のプリンターの外観斜視図。
【図２】後方上面カバーが開き、前方上面カバー及び前面カバーが閉じた状態のプリンターの外観斜視図。
【図３】後方上面カバー及び前面カバーが閉じ、前方上面カバーが開いた状態のプリンターの外観斜視図。
【図４】後方上面カバーが閉じ、前方上面カバー及び前面カバーが開いた状態のプリンターの外観斜視図。
【図５】プリンターの底面を示す斜視図。
【図６】廃液カバーを開いた状態の斜視図。
【図７】左連結部の斜視図。
【図８】右連結部の斜視図。
【図９】前方上面カバーの突起が入り込むスリットの斜視図。
【図１０】前方上面カバーが開き、チルトパネルがチルトした状態を示す装置の側断面図。
【図１１】後方上面カバー、前方上面カバー、前面カバーのこれらが閉じた状態のプリンターの側断面図。
【図１２】後方上面カバー及び前方上面カバーが閉じた状態のプリンターの側断面図。
【図１３】図１２の部分拡大図。
【図１４】前方上面カバー及び前面カバーが閉じた状態のプリンターの正面図。
【図１５】前方上面カバー及び前面カバーが閉じた状態のプリンターの正面図。
【図１６】制御系統を示すブロック図。
【図１７】インク補充の際の制御部による制御を示すフローチャート。
【図１８】他の実施形態に係るプリンターにおいて、前方上面カバーが開いた状態の斜視図。
【図１９】前方上面カバーが開いた状態での、保持手段の斜視図。
【図２０】前方上面カバーが開いた状態での、保持手段の断面図。
【図２１】前方上面カバーが閉じた状態での、保持手段の断面図。
【図２２】他の実施形態に係るプリンターにおいて、前方上面カバーが開き、カバー部材が取り外された状態の斜視図。
【図２３】他の実施形態に係るプリンターにおいて、前方上面カバーが開き、カバー部材が取り外され、キャリッジの上面カバーとインクタンクが取り外された状態の斜視図。
【発明を実施するための形態】
【０００８】
以下、本発明について概略的に説明する。  
第１の態様に係る記録装置は、被記録媒体の搬送方向と交差する幅方向のうちの一方向である第１方向および前記第１方向に対し反対方向である第２方向に移動可能なキャリッジと、前記キャリッジに設けられ、液体を注入可能に構成されるとともに、内部の液面の位置を視認可能な液面視認部を有する液体収容部と、前記キャリッジに設けられ、前記液体収容部から前記液体が供給されて、前記被記録媒体に前記液体を吐出する記録ヘッドと、前記幅方向に沿った装置側面に設けられる操作パネルと、を備え、前記装置側面を正面視して、前記操作パネル、及び前記液面視認部を露呈させる露呈部が視認可能に配置され、前記キャリッジがホームポジションから前記露呈部に向かって移動することで、前記装置側面を正面視して前記操作パネルと前記液面視認部とが前記幅方向に並ぶことを特徴とする。
【０００９】
本態様によれば、前記装置側面を正面視して、前記操作パネル、及び前記液面視認部を露呈させる露呈部が視認可能に配置され、前記キャリッジがホームポジションから前記露呈部に向かって移動することで、前記装置側面を正面視して前記操作パネルと前記液面視認部とが前記幅方向に並ぶので、前記液体収容部に液体を注入する液体注入作業の際には前記操作パネルに対して前記液面視認部が近づくこととなり、前記操作パネルの操作と前記液体注入作業とを行う場合にユーザーの視線の移動量が少なくて済み、前記液体注入作業をより容易に行うことができる。
【００１０】
第２の態様は、第１の態様において、前記装置側面を正面視して前記第２方向の端部から前記第１方向に向かって、前記操作パネル、前記露呈部、前記ホームポジション、がこれらの順に配置されることを特徴とする。
【００１１】
第３の態様は、第１のまたは第２の態様において、前記キャリッジの上部には、閉じた状態において装置の天面を構成し、開くことで前記キャリッジの上部を露呈させる上面カバーが設けられ、前記上面カバーは、閉じた状態において前記操作パネルとともに前記装置側面を構成する側面形成部を備え、前記上面カバーが閉じると前記側面形成部が前記露呈部を覆い、前記上面カバーが開くと前記側面形成部が前記露呈部を露呈させることを特徴とする。
【００１２】
本態様によれば、前記上面カバーに前記側面形成部が設けられ、前記上面カバーが閉じると前記側面形成部が前記露呈部を覆い、前記上面カバーが開くと前記側面形成部が前記露呈部を露呈させる構成であるので、前記露呈部を開口形状で構成しても前記露呈部を介して装置内部に塵埃等が侵入することを抑制できる。そして前記露呈部を開口形状で形成することで前記液面視認部を直接視認することができ、前記露呈部を例えば透明の板材で形成する様な場合に比して前記液面視認部の視認性が良好となり、前記液面をより正確に視認することができる。更に、前記側面形成部をそれ単体で形成して開閉可能に構成する場合は前記上面カバーの開閉操作に加えて別途前記側面形成部の開閉操作が必要となるが、前記側面形成部は前記上面カバーに設けられているので、１つの操作で前記キャリッジ上部の開放と前記露呈部の露呈とを行うことができ、操作性が向上する。
【００１３】
第４の態様は、第３の態様において、前記露呈部は、前記第１方向の端部に位置する第１壁部と、前記第１壁部に対し前記第２方向に位置する第２壁部と、の間の隙間で形成され、前記操作パネルは、第１ヒンジ、及び前記第１ヒンジより前記露呈部から遠い第２ヒンジを介して前記第２壁部に対しチルト可能に設けられることを特徴とする。
【００１４】
本態様によれば、前記操作パネルは、第１ヒンジ、及び前記第１ヒンジより前記露呈部から遠い第２ヒンジを介して前記第２壁部に対しチルト可能に設けられる構成において、上述した第１のまたは第２の態様の作用効果が得られる。
【００１５】
第５の態様は、第４の態様において、前記第１ヒンジ及び前記第２ヒンジのうち、前記第２ヒンジが、前記操作パネルのチルト角を保持するトルクヒンジで構成されることを特徴とする。
【００１６】
本態様によれば、前記第２壁部に対し前記第１方向に前記露呈部、つまり隙間が形成されているので、前記第２壁部において前記第１方向は片持ち状態となっており、撓みが生じ易い構成となっている。従ってその様な位置に前記トルクヒンジを設けると、前記操作パネルをチルトさせた際のトルクによって前記第２壁部が撓み易いが、本態様では前記第１ヒンジ及び前記第２ヒンジのうち、前記露呈部から遠い前記第２ヒンジが前記トルクヒンジで構成されるので、前記操作パネルをチルトさせた際の前記第２壁部の撓みを抑制できる。
【００１７】
第６の態様は、第３から第５の態様のいずれかにおいて、前記側面形成部には、装置の状態を点灯或いは点滅により表示する発光部が設けられることを特徴とする。  
本態様によれば、前記側面形成部には、装置の状態を点灯或いは点滅により表示する発光部が設けられるので、装置の状態を容易に把握することができる。
【００１８】
第７の態様は、第６の態様において、前記上面カバーには、前記発光部に電気的に接続される配線を覆う配線カバーが設けられ、前記配線カバーの重心位置が、前記上面カバーの回転軸寄りに位置することを特徴とする。
【００１９】
本態様によれば、前記上面カバーには、前記発光部に電気的に接続される配線を覆う配線カバーが設けられ、前記配線カバーの重心位置が、前記上面カバーの回転軸寄りに位置するので、前記配線カバーの重心位置が、前記上面カバーの自由端寄りに位置する構成に比して、前記上面カバーが意図せず閉じた際の衝撃を抑制できる。
【００２０】
第８の態様は、第３から第７の態様のいずれかにおいて、前記上面カバーは、閉じた状態から９０°より大きい回転角の回転によって開放限度まで開くことを特徴とする。  
本態様によれば、前記上面カバーは、閉じた状態から９０°より大きい回転角の回転によって開放限度まで開くので、前記上面カバーが開いた状態を良好に維持できる。
【００２１】
第９の態様は、第３から第８の態様のいずれかにおいて、前記側面形成部に設けられた突起によって押されることで前記上面カバーの閉状態を検出する開閉センサーを備え、前記開閉センサーは、前記突起が入り込むスリットの内部に設けられ、前記上面カバーが閉じた状態において前記突起と前記スリットとが係わり合うことにより、少なくとも前記上面カバーの前記幅方向における位置が規制されることを特徴とする。
【００２２】
本態様によれば、前記側面形成部に前記突起が形成され、前記上面カバーが閉じた状態において前記突起と前記スリットとが係わり合うことにより、少なくとも前記上面カバーの前記幅方向における位置が規制されるので、前記上面カバーのがたつきを抑制できる。
【００２３】
第１０の態様は、第３から第９の態様のいずれかにおいて、前記キャリッジを備えた装置本体部と、原稿を読み取る読み取り手段及び前記読み取り手段に対し前記原稿を搬送する原稿搬送手段を有し、前記装置本体部の上部に設けられる原稿読み取り機構部と、を備え、前記上面カバーが、前記原稿読み取り機構部を構成するフレームに対し回転可能に連結されることを特徴とする。
【００２４】
本態様によれば、前記上面カバーが、前記原稿読み取り機構部を構成するフレームに対し回転可能に連結される構成において、上述した第２から第８の態様のいずれかの作用効果が得られる。
【００２５】
第１１の態様は、第３から第１０の態様のいずれかにおいて、前記上面カバーが開いた状態を保持する保持手段を有し、前記保持手段は、前記上面カバーに設けられ、回転することで開閉する前記上面カバーの回転半径方向にスライド可能であるとともにプランジャと、前記上面カバーに設けられ、前記プランジャを押圧する押圧部材と、と備え、前記プランジャと対向する位置に設けられた当接部に前記プランジャが押し当たることで、前記上面カバーの開いた状態が保持されることを特徴とする。
【００２６】
第１２の態様は、第１から第１１の態様のいずれかにおいて、前記キャリッジの移動方向に沿って、前記キャリッジの上部の一部を覆う覆い部材が設けられ、前記覆い部材において前記キャリッジの移動方向における一部には、切り欠き部が設けられ、前記切り欠き部には、取り外し可能なカバー部材が設けられていることを特徴とする。
【００２７】
以下、本発明を具体的に説明する。  
尚、各図においてＸ軸方向は装置幅方向であり、−Ｘ方向は装置前面をユーザーと対面させた際にユーザーから見て右方向となり、また＋Ｘ方向は同左方向となる。また本実施形態において−Ｘ方向は第１方向であり、＋Ｘ方向は第２方向である。またＸ軸方向は、後述する装置本体部２において記録ヘッド２２と対向する領域での用紙搬送方向と交差する方向、即ち用紙幅方向となる。  
Ｙ軸方向は装置奥行き方向であり、＋Ｙ方向は装置背面から前面に向かう方向であり、−Ｙ方向は装置前面から背面に向かう方向である。本実施形態において装置の周囲を構成する複数の側面のうちチルトパネル６が設けられた側面が装置前面となり、その反対の側面が装置背面となる。またＹ軸方向のうち＋Ｙ方向は、後述する装置本体部２において記録ヘッド２２と対向する領域での用紙搬送方向となる。  
Ｚ軸方向は鉛直方向であり、＋Ｚ方向は鉛直上方向、−Ｚ方向は鉛直下方向となる。
【００２８】
図１及び図２において記録装置の一例であるインクジェットプリンター１は、装置本体部２の上部に、原稿を読み取る読み取り機構部３を備えて成る、所謂複合機である。以下、インクジェットプリンター１は、プリンター１と略称する。  
装置本体部２は、被記録媒体の一例である記録用紙に記録を行う機能を有し、読み取り機構部３は、原稿を読み取る機能を有する。
【００２９】
装置本体部２は、周囲を構成する側面のうちＸ軸方向に沿った側面である装置前面に、プリンター１の電源オンオフ操作を行う為の電源ボタン８及びその他各種操作を行う為の操作部７を有するチルトパネル６を備えている。チルトパネル６は、操作パネルの一例である。操作部７には、各種情報表示を行う表示部７ａが設けられている。  
チルトパネル６は、装置本体部２の色（例えば白色或いは白色に近い色）に対して暗色系の色、例えば黒色或いは黒色に近い色で形成されている。これにより、チルトパネル６及び操作部７を目立つ様にしている。  
チルトパネル６は、図１４及び図１５に示す左ヒンジ６９Ａ及び右ヒンジ６９Ｂを中心に回転することで、チルト可能となっている。  
また装置前面には前面カバー９を備えており、前面カバー９は回転軸９ａ（図１１参照）を中心に回転することで、図１乃至図３に示す様に閉じた状態と、図４に示す様に記録が行われて排出される記録用紙の排出経路を開放する開いた状態とを取り得る。
【００３０】
装置本体部２は、上面の前方側が上面カバーとしての前方上面カバー４によって構成されている。前方上面カバー４は、図７に示す左連結部５９Ａ及び図８に示す右連結部５９Ｂにおいて、読み取り機構部３を構成する保持フレーム５４に対し回転可能に連結されている。左連結部５９Ａは、図７に示す様に保持フレーム５４に形成された左軸部５４ｂと、前方上面カバー４に形成された左軸嵌合部４ｃとで構成されている。右連結部５９Ｂは、図８に示す様に保持フレーム５４に形成された右軸部５４ｃと、前方上面カバー４に形成された右軸嵌合部４ｄとで構成されている。左軸部５４ｂと右軸部５４ｃは、前方上面カバー４の回転軸を構成する。  
そして前方上面カバー４は、回転することで、図１及び図２に示す様に閉じた状態と、図３及び図４に示す様に装置本体部２の内部、特にキャリッジ６０を露呈させる開いた状態と、を取り得る。前方上面カバー４を開くことで、例えば詰まった記録用紙の除去や、後述する液体収容部としてのインクタンク６１へのインクの注入が実行可能となる。
【００３１】
前方上面カバー４には、側面形成部４ｂが一体に設けられている。前方上面カバー４の上面４ａと側面形成部４ｂはほぼ直角を成しており、前方上面カバー４が閉じ且つチルトパネル６が閉じた状態では、図１及び図２に示すように側面形成部４ｂの表面とチルトパネル６の表面とが面一となる。  
側面形成部４ｂには状態表示部７１が設けられている。状態表示部７１はＬＥＤ等の発光手段によってプリンター１の各種状態を表す為の発光部であり、例えば電源投入により点灯し、エラー発生時には点滅する。本実施形態において状態表示部７１の点滅によって報知されるエラーには、用紙切れ、紙ジャム、インク切れ、廃液量（後述）が上限に達した、などが含まれる。尚、点滅する際の間隔の違いや表示色の違いを利用してエラー内容を区別することもできる。この様な状態表示部７１により、装置の状態を容易に把握することができる。  
尚、状態表示部７１は、発光を際立たせる為、側面形成部４ｂの色（例えば白色或いは白色に近い色）に対して暗色系の色、例えば黒色或いは黒色に近い色で形成されている。これにより、装置の状態を容易に把握することができる。
【００３２】
側面形成部４ｂにおいて＋Ｘ方向の側部には、図３、図４、図１０に示す様にセンサー押圧部４ｅが形成されている。センサー押圧部４ｅは突起状に形成されており、前方上面カバー４が閉じた際、図９に示すスリット６８に入り込む。スリット６８に入り込んだセンサー押圧部４ｅは、開閉センサー８４（図１６参照）を押し、これによりプリンター１の制御部８０（図１６参照）が、前方上面カバー４が閉じたことを検知できる様に構成されている。  
尚、前方上面カバー４が閉じた状態では、センサー押圧部４ｅとスリット６８とが係わり合うことで、前方上面カバー４のＸ軸方向の位置が規制され、前方上面カバー４のＸ軸方向のがたつきが抑制される。また同時に、本実施形態では前方上面カバー４のＹ軸方向の位置も規制され、前方上面カバー４のＹ軸方向のがたつきも抑制される。
【００３３】
チルトパネル６及び側面形成部４ｂの下には前面カバー９が開閉可能に設けられており、図１〜図３は前面カバー９が閉じた状態を示し、図４は前面カバー９が開いた状態を示している。前面カバー９が閉じた状態では、前面カバー９の表面、側面形成部４ｂの表面、チルトパネル６の表面、のこれらが面一となり、垂直に沿った装置側面を形成する。  
前面カバー９を開くことで、図４に示す様に装置前方に向けて排出される記録用紙を受ける排出トレイ２９を引き出すことができる。
【００３４】
装置上面における後方側には、後方上面カバー１０が設けられている。後方上面カバー１０は、回転軸１０ｃ（図１１、図１２参照）を中心に回転することで、図１、図１１に示す閉じた状態と、図２、図１２に示す開いた状態とを取り得る。  
後方上面カバー１０を開くと、図２に示す様に読み取り機構部３が露呈し、原稿の読み取りが実行可能となる。また後方上面カバー１０を開くと、後述する支持部材１２への記録用紙のセットが可能となる。図２において矢印Ａは、記録用紙のセット方向を示している。
【００３５】
以下、図１１及び図１２を参照しつつ、装置本体部２における記録用紙の搬送経路について説明する。  
装置後方には支持部材１２が設けられており、給送前の記録用紙は、支持部材１２と、図１２に示す様に開いた状態の後方上面カバー１０の裏面で構成される用紙支持面１０ａとによって傾斜姿勢で支持される。  
支持部材１２は不図示の揺動軸を中心に揺動可能に構成されており、揺動することで、支持した記録用紙を給送ローラー１３に対して進退させる。
【００３６】
給送ローラー１３は不図示のモーターにより回転駆動され、回転することにより、記録用紙を下流に送り出す。給送ローラー１３と対向する位置には回転抵抗が付与された分離ローラー１４が設けられており、この分離ローラー１４が給送ローラー１３との間でニップ領域を形成することにより、記録用紙の重送が防止される。  
尚、図１２において符号Ｐｄで示す二点鎖線は、給送ローラー１３により送り出され、搬送される記録用紙の搬送軌跡を示している。
【００３７】
給送ローラー１３により送り出された記録用紙は、搬送ローラー対１７に到達する。搬送ローラー対１７は、不図示の駆動源により駆動される駆動ローラー１８と、従動回転する従動ローラー１９とで構成されており、記録用紙はこの両ローラーによりニップされ、記録ヘッド２２と対向する領域、即ち記録領域に送られ、記録が行われる。
【００３８】
記録ヘッド２２を備えるキャリッジ６０は、Ｘ軸方向に延びるメインフレーム２４にガイドされつつ、不図示の動力源によってＸ軸方向に往復動する。記録ヘッド２２は、キャリッジ６０の移動動作に伴い、記録用紙に対してインクを吐出する。  
キャリッジ６０にはインクタンク６１が搭載されており、このインクタンク６１から記録ヘッド２２へとインクが供給される。  
尚、本実施形態においてインクタンク６１は不図示のインク供給口を備えており、このインク供給口からインクタンク６１へのインクの補充が可能に構成されている。インクタンク６１へのインクの補充については、後に詳しく説明する。
【００３９】
メインフレーム２４は金属板材により形成されており、側面視において水平方向と交差するフレーム面を形成する鉛直部２４ａと、鉛直部２４ａの上部が折り曲げられることで形成された第１水平部２４ｂと、鉛直部２４ａの下部が折り曲げられることで形成された第２水平部２４ｃと、を備えている。鉛直部２４ａは、本実施形態では垂直面に沿っている。第１水平部２４ｂ及び第２水平部２４ｃは、本実施形態では水平面に沿っている。  
メインフレーム２４は、第１水平部２４ｂの＋Ｙ方向端部が−Ｚ方向に折り曲げられており、また第２水平部２４ｃの＋Ｙ方向端部が＋Ｚ方向に折り曲げられ、更にその上端部が−Ｙ方向に僅かに折り曲げられており、側面視において全体的に矩形の空間が形成された状態となっている。そしてこの空間にキャリッジ６０の一部が入り込み、この入り込んだ部分がメインフレーム２４によってＸ軸方向にガイドされる。
【００４０】
記録ヘッド２２と対向する位置には支持リブ３１が設けられており、記録ヘッド２２により記録の行われる記録用紙は、支持リブ３１によって支持される。  
尚、本実施形態では支持リブ３１の周囲には不図示の凹部が形成されており、この凹部には不図示のインク吸収材が配設されていて、用紙端部に余白無く印刷を行う為に用紙端部から外れた領域に吐出されたインクが、インク吸収材により吸収される。吸収されたインクは、不図示のインク流路に沿って図６に示す廃液トレイ７７に案内される。この廃液トレイ７７は、前面カバー９を開き、そして廃液カバー７６を開くことで取り外すことができる。
【００４１】
図１１に戻り、支持部材１２に対して搬送方向下流には、記録の行われた記録用紙を装置前方に向けて排出する排出ローラー対２６が設けられている。排出ローラー対２６は、不図示の駆動源により駆動される駆動ローラー２７と、従動回転する従動ローラー２８とで構成されており、記録用紙はこの両ローラーによりニップされ、装置前方に向けて排出され、引き出された状態の排出トレイ２９によって支持される。
【００４２】
以上が装置本体部２の構成であり、以下、装置本体部２の上部に設けられた読み取り機構部３について図１３を参照しつつ説明する。  
読み取り機構部３は、入口トレイ４０と、上部ユニット３６と、下部ユニット３７と、排出トレイ５３と、によって全体が構成されている。
【００４３】
読み取りを行う原稿は、その先端側が入口トレイ４０により支持され、後端側が前方上面カバー４（図２参照）の上面４ａ（図２参照）に支持される。図２において矢印Ｂは、読み取り原稿のセット方向を示している。また図２において符号Ｇｐは、入口トレイ４０と、装置本体部２の上面４ａとで支持される、セットされた原稿を示している。また図２において符号３８ａ、３８ｂは、セットされた原稿の側端をガイドするエッジガイドである。  
図１３に戻り、読み取り機構部３における原稿読み取り時の際の原稿搬送方向は概ね−Ｙ方向であり、入口トレイ４０に対し原稿搬送方向の下流には搬送ローラー対４１が設けられている。搬送ローラー対４１は、不図示の駆動源により駆動される駆動ローラー４２と、従動回転する従動ローラー４３とで構成されており、原稿はこの両ローラーによりニップされ、原稿搬送方向の下流へと送られる。
【００４４】
搬送ローラー対４１に対し原稿搬送方向の下流には読み取りガラス５８が設けられており、この読み取りガラス５８の下側に読み取り手段としてのセンサーモジュール５５が設けられている。センサーモジュール５５はＸ軸方向に延設され、押圧ばね５７により読み取りラス５８の下側から読み取りガラス５８の下面に押し当たっている。センサーモジュール５５には光学縮小方式（CCD方式）や密着センサー方式（CIS方式）を採用でき、本実施形態では密着センサー方式（CIS方式）を採用する。符号５６は、受光素子（不図示）及び発光素子（不図示）が設けられた回路基板である。  
センサーモジュール５５は、保持フレーム５４によって保持されており、保持フレーム５４は、下部ユニット３７の基体を構成し、また、下部ユニット３７の最下面を形成する。
【００４５】
読み取りガラス５８の上には押さえ部材４５が設けられている。押さえ部材４５は、圧縮ばね４６によって読み取りガラス５８に向けて押圧されている。搬送ローラー対４１によって搬送される原稿は、押さえ部材４５と読み取りガラス５８とで挟まれた状態で、センサーモジュール５５によって読み取られる。  
従動ローラー４３、押さえ部材４５、圧縮ばね４６、従動ローラー５０、のこれらは、上部ユニット３６の基体を構成する保持フレーム５１に設けられる。
【００４６】
読み取りガラス５８の下流には、読み取りの行われた原稿を排出する排出ローラー対４８が設けられている。排出ローラー対４８は、不図示の駆動源により駆動される駆動ローラー４９と、従動回転する従動ローラー５０とで構成されており、読み取りの行われた原稿はこの両ローラーによりニップされ、排出トレイ５３に向けて排出される。符号Ｇｒは、セットされ、読み取りが行われ、排出される原稿の通過軌跡を示している。
【００４７】
原稿支持トレイとしての排出トレイ５３は、斜め上下方向にスライド変位することで、図１１に示す非展開状態と、図２、図１２、図１３に示す展開状態とを切り換え可能に設けられており、また更にサブトレイ５３ａを展開可能に構成されている。サブトレイ５３ａは、回転軸５３ｃを中心に図１２の時計回り方向及び反時計回り方向に回転することで、図１２において実線で示す展開状態と、２点鎖線及び符号５３ａ＿１で示す収納状態と、を取り得る。  
尚、長尺の原稿は、排出されるとその先端が排出トレイ５３を乗り越え、排出トレイ５３の背後に位置する後方上面カバー１０の用紙支持面１０ａによって支持される。  
図１３において符号Ｇｈで示す実線は、排出トレイ５３によって支持される原稿を示している。また、符号５３ｂは、原稿支持面である。
【００４８】
以上説明した従動ローラー４３、押さえ部材４５、圧縮ばね４６、従動ローラー５０、保持フレーム５１、のこれらは、上部ユニット３６を構成する。上部ユニット３６は、不図示の回転軸を中心にして下部ユニット３７に対して回転可能に設けられており、開くことにより、搬送ローラー対４１及び排出ローラー対４８による原稿ニップ状態が解除できる。  
また、以上説明した駆動ローラー４２、センサーモジュール５５、駆動ローラー４９、保持フレーム５４、のこれらは、下部ユニット３７を構成する。
【００４９】
続いてインクタンク６１へのインクの補充について説明する。  
図３、図４、図１０に示す様に、前方上面カバー４を開くと、キャリッジ６０及びキャリッジ６０に搭載されたインクタンク６１が露呈する。インクタンク６１は、複数のインクタンク６１Ａ、６１Ｂ、６１Ｃ、６１Ｄで構成されており、本明細書では各インクタンクを特に区別しない場合にはインクタンク６１と総称する。  
複数のインクタンク６１には、異なる色のインクを収容することができ、例えばブラック、シアン、マゼンタ、イエローのインクを収容することができる。  
複数のインクタンク６１は、Ｘ軸方向に沿って並んで配設されている。
【００５０】
インクタンク６１は上部に開閉レバーを備えており、具体的にはインクタンク６１Ａは開閉レバー６２Ａを備え、インクタンク６１Ｂは開閉レバー６２Ｂを備え、インクタンク６１Ｃは開閉レバー６２Ｃを備え、インクタンク６１Ｄは開閉レバー６２Ｄを備えている。以下では、各開閉レバーを特に区別しない場合には開閉レバー６２と総称する。  
開閉レバー６２を開くことにより、不図示のインク注入口が露呈し、このインク注入口からインクタンク６１内へのインクの補充を行うことができる。
【００５１】
尚、各色の補充用のインクが収容されたインクボトルが、図５に示す様に装置底部に収容できるように構成されている。図５において符号２ａ、２ｂ、２ｃ、２ｄは、装置底部に形成された凹部であり、この凹部２ａ、２ｂ、２ｃ、２ｄに、補充用のインクが収容されたインクボトル７８Ａ、７８Ｂ、７８Ｃ、７８Ｄが収容できる様に構成されている。  
プリンター１は工場出荷の際、梱包箱内部で凹部２ａ、２ｂ、２ｃ、２ｄのそれぞれにインクボトル７８Ａ、７８Ｂ、７８Ｃ、７８Ｄが収容された状態となる。これにより梱包箱のサイズを抑制することができる。
【００５２】
続いてインクタンク６１は前面、つまり＋Ｙ方向の側面に、液面視認部を備えており、具体的には図１５に示す様にインクタンク６１Ａは液面視認部６３Ａを備え、インクタンク６１Ｂは液面視認部６３Ｂを備え、インクタンク６１Ｃは液面視認部６３Ｃを備え、インクタンク６１Ｄは液面視認部６３Ｄを備えている。以下では、各液面視認部を特に区別しない場合には液面視認部６３と総称する。
【００５３】
インクタンク６１は光を透過可能な材料で形成されており、これにより液面視認部６３において、外部からインクタンク６１内部のインクの液面を視認することができる。インクタンク６１は、例えば無色透明の樹脂材料や、白色系樹脂材料によって形成することができる。インクタンク６１を白色系樹脂材料によって形成すれば、内部のインクの色とのコントラストが高まり、インクの液面が視認し易くなる。  
キャリッジ６０の筐体は、液面視認部６３を外部から視認できる様に、液面視認部６３の位置が開口形状とされている。
【００５４】
次に、図３に示す様にキャリッジ６０の移動領域に対し＋Ｙ方向には、第１壁部としての右壁部６６と、第２壁部としての左壁部６５とが設けられている。左壁部６５及び右壁部６６は、鉛直方向に沿った壁面を成し、右壁部６６は−Ｘ方向の端部に設けられている。本実施形態において−Ｘ方向の端部にキャリッジ６０のホームポジションが設定されており、装置の非稼働状態ではキャリッジ６０は図３、図４、図１４に示す様に−Ｘ方向の端部に位置している。尚、ホームポジションには不図示のキャップ機構が設けられており、このキャップ機構により記録ヘッド２２がキャップされる。  
左壁部６５は、右壁部６６に対し＋Ｘ方向に所定の間隔を空けて配置されており、左壁部６５と右壁部６６との間に露呈部６７が形成された状態となっている。即ち露呈部６７は、キャリッジ６０のホームポジション寄りに位置する右壁部６６と、右壁部６６よりホームポジションから遠い左壁部６５との間の隙間で形成されている。
【００５５】
尚、左壁部６５には、図１４及び図１５に示す左ヒンジ６９Ａ及び右ヒンジ６９Ｂを解してチルトパネル６が取り付けられている。即ちチルトパネル６は、第１ヒンジとしての右ヒンジ６９Ｂ、及び右ヒンジ６９Ｂより露呈部６７から遠い第２ヒンジとしての左ヒンジ６９Ａを介して左壁部６５に対しチルト可能に設けられている。  
そして左ヒンジ６９Ａ及び右ヒンジ６９Ｂのうち、左ヒンジ６９Ａが、チルトパネル６のチルト角を保持するトルクヒンジで構成される。  
これにより、以下の作用効果が得られる。即ち、左壁部６５に対し−Ｘ方向に露呈部６７、つまり隙間が形成されているので、左壁部６５において−Ｘ方向は片持ち状態となっており、撓みが生じ易い構成となっている。従ってその様な位置にトルクヒンジを設けると、操作パネル６をチルトさせた際のトルクによって左壁部６５が撓み易いが、本実施形態では左ヒンジ６９Ａ及び右ヒンジ６９Ｂのうち、左ヒンジ６９Ａが、チルトパネル６のチルト角を保持するトルクヒンジで構成されるので、操作パネル６をチルトさせた際の左壁部６５の撓みを抑制できる。
【００５６】
続いてインクタンク６１にインクを補充する際のキャリッジ６０の動作について説明する。図１６に示す様にプリンター１の各種制御を行う制御部８０は、キャリッジ６０の動力源であるキャリッジ駆動モーター８３、記録ヘッド２２、状態表示部７１、操作部７を構成する表示部７ａ、のこれらを制御する。  
制御部８０は記憶部８１を有しており、この記憶部８１に、プリンター１の制御に必要な各種プログラムや、プリンター１の制御に必要な各種情報が格納されている。制御部８０は、記録ヘッド２２の制御に際して吐出したインクのドット数をカウントし、そのカウント値に基づいて複数のインクタンク６１毎のインク残量を算出し、算出したインク残量を記憶部８１に記憶する。そしてインク残量が所定レベルまで減った場合には、状態表示部７１を点滅させてインク残量が所定レベルまで減った旨を報知する。
【００５７】
以下、図１７を参照してインク補充時に制御部８０が実施する制御について説明する。先ず、ユーザーが前方上面カバー４を開くと、上述した不図示の開閉検出センサーの検出信号により、制御部８０は前方上面カバー４の閉状態が解消したことを検知する（ステップＳ１０１においてYes）。その場合、複数のインクタンク６１のうち、インク残量が所定レベル、つまり補充が必要なレベルまで減っているものがあるかを判断し（ステップＳ１０２）、インクの補充が必要なインクタンク６１がある場合は（ステップＳ１０２においてYes）、操作部７の表示部７ａに、インク補充ユーザーインターフェースを表示する（ステップＳ１０３）。インク補充ユーザーインターフェースは、以下ではインク補充ＵＩと略称する。
【００５８】
インク補充ＵＩは、例えば補充が必要なインク色の表示と、「インクを補充しますか？」等の確認メッセージの表示で構成できる。これに対しユーザーがＯＫボタンを押下すると、制御部８０はユーザーがインク補充の実施意思があると判断し（ステップＳ１０４においてYes）、ホームポジションに位置していたキャリッジ６０を、インク補充ポジションまで移動させる（ステップＳ１０５）。  
キャリッジ６０のインク補充ポジションとは、図１５に示す様に複数の液面視認部６３の全てが露呈部６７を介して視認できる位置であり、ホームポジションから＋Ｘ方向に所定量移動した位置である。
【００５９】
尚、右壁部６６の上端には図３に示す様に覆い部６６ａが形成されており、この覆い部６６ａによって開閉レバー６２の一部分、より具体的には＋Ｙ方向の端部が覆われ、キャリッジ６０がホームポジションに位置する際には開閉レバー６２を開くことができない様に構成されている。即ち、キャリッジ６０がホームポジションに位置する際、インクタンク６１へのインクの補充ができない様に構成されている。
【００６０】
この状態からキャリッジ６０がインク補充ポジションまで移動すると、図１５に示す様に複数の開閉レバー６２の全てが覆い部６６ａから外れ、複数の開閉レバー６２の全てが開放可能となる。これにより開閉レバー６２を開き、インクタンク６１へのインクの補充が行える。また上述したように、複数の液面視認部６３の全てが露呈部６７を介して視認できる。従ってユーザーは、液面視認部６３を見ながら、インクタンク６１へのインクの補充を行うことができる。
【００６１】
ステップＳ１０５の実行後、制御部８０は、インク補充ＵＩの表示を例えば「インクの補充を終了しますか？」のメッセージ表示に変更し、これに対しユーザーがＯＫボタンを押下すると、ユーザーによるインク補充作業が終了したと判断し（ステップＳ１０６においてYes）、キャリッジ６０をインク補充ポジションからホームポジションに戻すとともに、インク補充の対象となったインクタンク６１に関するインク残量情報を、インク残量が最も多いフル状態にセットする。  
尚、上述したように前方上面カバー４が閉じられたことを検出する開閉センサー８４が設けられているので、前方上面カバー４の閉状態を検出したことをもってキャリッジ６０をホームポジションに戻すこともできる。
【００６２】
上述したようにプリンター１は、Ｘ軸方向に沿った装置側面である装置前面に設けられる操作パネル６を備え、装置前面を正面視して、＋Ｘ方向の端部から−Ｘ方向に向かって、操作パネル６、液面視認部６を露呈させる露呈部６７、キャリッジ６０のホームポジション、がこれらの順に配置され、キャリッジ６０がホームポジションから露呈部６７に向かって移動することで、図１４から図１５への変化に示す様に装置前面を正面視して操作パネル６と液面視認部６３とがＸ軸方向に並ぶ構成である。
【００６３】
従ってインクタンク６１にインクを注入するインク注入作業の際には操作パネル６に対して液面視認部６３が近づくこととなり、操作パネル６の操作とインク注入作業とを行う場合にユーザーの視線の移動量が少なくて済み、インク注入作業をより容易に行うことができる。
【００６４】
また本実施形態では、キャリッジ６０の上部には、閉じた状態において装置の天面を構成し、開くことでキャリッジ６０の上部を露呈させる前方上面カバー４が設けられ、前方上面カバー４は、閉じた状態において操作パネル６とともに装置前面を構成する側面形成部４ｂを備え、前方上面カバー４が閉じると側面形成部４ｂが露呈部６７を覆い、前方上面カバー４が開くと側面形成部４ｂが露呈部６７を露呈させる構成である。  
従って露呈部６７を開口形状で構成しても露呈部６７を介して装置内部に塵埃等が侵入することを抑制できる。そして露呈部６７を開口形状で形成することで液面視認部６３を直接視認することができ、露呈部６７を例えば透明の板材で形成する様な場合に比して液面視認部６３の視認性が良好となり、インクタンク６１におけるインクの液面をより正確に視認することができる。更に、側面形成部４ｂをそれ単体で形成して開閉可能に構成する場合は前方上面カバー４の開閉操作に加えて別途側面形成部４ｂの開閉操作が必要となるが、側面形成部４ｂは前方上面カバー４に設けられているので、１つの操作でキャリッジ６０上部の開放と露呈部６７の露呈とを行うことができ、操作性が向上する。
【００６５】
尚、本実施形態において前方上面カバー４には、図４に示す様に発光ユニット７２に電気的に接続される配線７３を覆う配線カバー７４が設けられている。発光ユニット７２は、図１〜図３に示す状態表示部７１を構成するユニットである。この配線カバー７４は、Ｘ軸方向に延びる部位７４ａが前方上面カバー４の回転軸寄りに位置しており、これによって前方上面カバー４の重心位置が、前方上面カバー４の回転軸寄りに位置する。前方上面カバー４の重心位置は、図１０において符号Ｇで示されている。また、この重心位置Ｇが前方上面カバー４の回転軸寄りに位置するとは、図１０において重心位置Ｇが、右軸部５４ｃ及び左軸部５４ｂと、自由端に位置する側面形成部４ｂとの中間位置ＣＬよりも、右軸部５４ｃ及び左軸部５４ｂ側に位置することを意味する。  
これにより、前方上面カバー４が意図せず閉じた際の衝撃を抑制できる。
【００６６】
また本実施形態において前方上面カバー４は、閉じた状態から図１０に示す様に９０°より大きい回転角の回転によって開放限度まで開く。具体的には本実施形態において前方上面カバー４は水平に閉じた状態から１１２．５°回転すると図１０の開放限度まで開く。従って前方上面カバー４が開いた状態を良好に維持できる。
【００６７】
尚、前方上面カバー４が開放限度まで開いた際、後方上面カバー１０が閉じていれば、後方上面カバー１０の＋Ｙ方向端部によって前方上面カバー４を支持することができる。また、前方上面カバー４が開放限度まで開いた際、後方上面カバー１０が開いていれば、読み取り機構部３の＋Ｙ方向端部である当接部３ｃ、３ｃ（図２参照）によって前方上面カバー４を支持することができる。
【００６８】
尚、本実施形態では図１０に示す様に、前方上面カバー４の回転軸を構成する右軸部５４ｃと左軸部５４ｂは、Ｙ軸方向においてメインフレーム２４よりも＋Ｙ方向に位置しており、これにより前方上面カバー４を開いても、メインフレーム２４が−Ｙ方向に奥まった場所に位置する。メインフレーム２４には、キャリッジ６０の位置を検出する不図示のリニアスケールが設けられており、ユーザーによって触れられることでリニアスケールが汚れ、検出不良が生じる虞があるが、上記の様に前方上面カバー４を開いても、メインフレーム２４が−Ｙ方向に奥まった場所に位置するので、上記の様な不具合の発生を抑制できる。
【００６９】
続いて図１８〜図２３を参照してプリンターの他の実施形態について説明する。図１８〜図１３に示すプリンター１Ａが上述したプリンター１と異なるのは、主として図１８に示す様にカバー部材８５と、保持手段８６とを備える点にある。尚、プリンター１Ａのその他の構成は上述したプリンター１と同様であるので、以下ではその説明は省略する。  
保持手段８６は、前方上面カバー４が開いた状態を保持する為の手段であり、図１９に示す様にカバー部材８７と、図２０及び図２１に示す様にプランジャ９０と、押圧部材の一例である圧縮ばね８９と、を備えて構成されている。プランジャ９０の一部と圧縮ばね８９はカバー部材８７で覆われており、カバー部材８７は固定ねじ８８によって前方上面カバー４に固定されている。
【００７０】
プランジャ９０は、前方上面カバー４の回転半径方向にスライド可能であるとともに、圧縮ばね８９によって前方上面カバー４の回転中心に向けて押圧されている。  
符号５４Ａは上述した保持フレーム５４に相当する部材であり、保持フレーム５４Ａには開口部５４ｅと、当接部５４ｄとが形成されている。  
前方上面カバー４が閉じた状態では、図２１に示す様にプランジャ９０は開口部５４ｅに入り込んでおり、圧縮ばね８９のばね力は保持フレーム５４Ａに対して作用していない。
【００７１】
この状態から前方上面カバー４が開くと、プランジャ９０が保持フレーム５４Ａの当接部５４ｄに対向し且つ当接する。前方上面カバー４が全開状態の図２０では、圧縮ばね８９のばね力によってプランジャ９０が当接部５４ｄに押し付けられる力が、前方上面カバー４の全開状態を保持する様に作用する。即ち、圧縮ばね８９のばね力によってプランジャ９０が当接部５４ｄに押し付けられることで、保持手段８６は前方上面カバー４に対し図２０の反時計回り方向のモーメントを生じさせる。これにより前方上面カバー４が意図せず閉じることを抑制できる。また、前方上面カバー４を全開状態にした際にクリック感が得られ、ユーザーの操作性が向上する。
【００７２】
続いて図１８、図２２、図２３に示す様に、覆い部材としての保持フレーム５４Ａの＋Ｙ方向の端部に、図Ｘ軸方向に延びる切り欠き部５４ｇが形成されている。切り欠き部５４ｇにはカバー部材８５が不図示の固定ねじによって固定される。  
キャリッジ６０には上部カバー６４が設けられており、この上部カバー６４を取り外すことによってインクタンク６１を取り外すことができ、そして更に記録ヘッド２２（図１１参照）を取り外すことができる。
【００７３】
ここで、カバー部材８５が取り付けられた状態では、上部カバー６４の一部が保持フレーム５４Ａ或いはカバー部材８５によって覆われることで、上部カバー６４は取り外すことができない状態となっている。しかしながら図２２に示す様に、カバー部材８５を取り外すことで、キャリッジ６０が切り欠き部５４ｇに位置した状態で上部カバー６４の全体が露呈する状態となり、上部カバー６４を取り外すことができる。  
この様に保持フレーム５４Ａに切り欠き部５４ｇを設けることで、インクタンク６１や記録ヘッド２２（図１１参照）を取り外す際に大掛かりな分解作業を行うことを回避でき、メンテナンス性が向上する。
【００７４】
本発明は上記において説明した各実施形態に限定されることなく、特許請求の範囲に記載した発明の範囲内で、種々の変形が可能であり、それらも本発明の範囲内に含まれるものであることは言うまでもない。
【符号の説明】
【００７５】
１…インクジェットプリンター、２…装置本体部、２ａ、２ｂ、２ｃ、２ｄ…凹部、３…読み取り機構部、４…前方上面カバー、４ａ…上面、４ｂ…側面形成部、４ｃ…左軸嵌合部、４ｄ…右軸嵌合部、４ｅ…センサー押圧部、６…チルトパネル、７…操作部、７ａ…表示部、８…電源ボタン、９…前面カバー、１０…後方上面カバー、１０ａ…用紙支持面、１０ｂ…押圧面、１０ｃ…回転軸、１２…支持部材、１３…給送ローラー、１４…分離ローラー、１７…搬送ローラー対、１８…駆動ローラー、１９…従動ローラー、２２…記録ヘッド、２３…支持部材、２４…メインフレーム、２４ａ…鉛直部、２４ｂ…第１水平部、２４ｃ…第２水平部、２４ｄ…折り曲げ部、２６…排出ローラー対、２７…駆動ローラー、２８…従動ローラー、２９…排出トレイ、３６…上部ユニット、３７…下部ユニット、３８ａ、３８ｂ…エッジガイド、４０…入口トレイ、４１…搬送ローラー対、４２…駆動ローラー、４３…従動ローラー、４５…押さえ部材、４６…圧縮ばね、４８…排出ローラー対、４９…駆動ローラー、５０…従動ローラー、５１…保持フレーム、５３…排出トレイ、５３ａ…サブトレイ、５３ｂ…原稿支持面、５４…保持フレーム、５４ａ…ガイド部、５４ｂ…左軸部、５４ｃ…右軸部、５４ｄ…当接部、５４ｅ…穴部、５４ｇ…切り欠き部、５５…センサーモジュール、５６…回路基板、５７…押圧ばね、５８…読み取りガラス、５９Ａ…左連結部、５９Ｂ…右連結部、６０…キャリッジ、６１Ａ、６１Ｂ、６１Ｃ、６１Ｄ…インクタンク、６２Ａ、６２Ｂ、６２Ｃ、６２Ｄ…開閉レバー、６３Ａ、６３Ｂ、６３Ｃ、６３Ｄ…液面視認部、６４…上部カバー、６５…左壁部、６６…右壁部、６６ａ…覆い部、６７…露呈部、６８…スリット、６９Ａ…左ヒンジ、６９Ｂ…右ヒンジ、７１…状態表示部、７２…発光ユニット、７３…配線、７４…配線カバー、７６…廃液カバー、７７…廃液トレイ、７８Ａ、７８Ｂ、７８Ｃ、７８Ｄ…インクボトル、８０…制御部、８１…記憶部、８３…キャリッジ駆動モーター、８４…開閉センサー、８５…カバー部材、
８６…保持手段、８７…カバー部品、８８…固定ねじ、８９…圧縮ばね、９０…プランジャ
【図１】
2020189474.tif 000003
【図２】
2020189474.tif 000004
【図３】
2020189474.tif 000005
【図４】
2020189474.tif 000006
【図５】
2020189474.tif 000007
【図６】
2020189474.tif 000008
【図７】
2020189474.tif 000009
【図８】
2020189474.tif 000010
【図９】
2020189474.tif 000011
【図１０】
2020189474.tif 000012
【図１１】
2020189474.tif 000013
【図１２】
2020189474.tif 000014
【図１３】
2020189474.tif 000015
【図１４】
2020189474.tif 000016
【図１５】
2020189474.tif 000017
【図１６】
2020189474.tif 000018
【図１７】
2020189474.tif 000019
【図１８】
2020189474.tif 000020
【図１９】
2020189474.tif 000021
【図２０】
2020189474.tif 000022
【図２１】
2020189474.tif 000023
【図２２】
2020189474.tif 000024
【図２３】
2020189474.tif 000025